(57)【要約】【課題】  表示部と接触、或いは非接触メモリ通信機能を備えたプリンターにおいてメモリＩＤの内容によって言語及び文字サイズを自動的に切り換える。このように自動的に切り換えることで言語、文字サイズ棟をユーザがキーを押すことによって設定するという煩わしさを無くすことを目的とする。【解決手段】  表示する言語を切り換えるための情報を備えたＩＤタグ等の言語情報記録手段と、接触あるいは非接触で通信を行なう通信手段とを備えて、言語情報記録手段の内容によって表示言語を変える。  また、フォント等の文字サイズを切り換えるための情報を備えたＩＤタグ等の文字サイズ情報記録手段と、接触あるいは非接触で通信を行なう通信手段とを備えて、文字サイズ情報記録手段の内容によって文字サイズを変える。【選択図】  図１
2007081691.tif 000002
【特許請求の範囲】
【請求項１】
表示装置と、表示する言語を切り換えるための情報を備えたIDタグ等の言語情報記録手段と、接触あるいは非接触で通信を行なう通信手段とを備え、言語情報記録手段の内容によって表示言語を変えることを特徴とする画像記録装置。
【請求項２】
フォント等の文字サイズを切り換えるための情報を備えたIDタグ等の文字サイズ情報記録手段と、接触あるいは非接触で通信を行なう通信手段とを備え、文字サイズ情報記録手段の内容によって文字サイズを変えることを特徴とする請求項１の画像記録装置。
【発明の詳細な説明】
【技術分野】
【０００１】
本発明は表示部を備えた画像記録装置の表示内容制御方法に関するものである。
【背景技術】
【０００２】
従来、この種の画像記録装置においては、特開平８−２１４１０６のように表示部が備えられており、表示言語は通常は例えばデフォルトが英語に設定されており、もし他の言語に切り換えたい場合はデフォルトの英語の表示を見ながらプリンターの表示部のキー等によって言語を変更している。
【０００３】
また、文字サイズについても見ずらい場合はユーザがプリンターの表示部のキーによって文字サイズを変更している。
【特許文献１】特開平８−２１４１０６号公報
【発明の開示】
【発明が解決しようとする課題】
【０００４】
しかしながら、上述したように表示する言語をユーザが変更する場合は、デフォルトの表示である英語の文字を見てキーを押して言語を変更するため、英語がわからないユーザにとっては非常に煩わしかった。
【０００５】
また、同じプリンターを違う言語を使うユーザが使用する場合はわざわざキーによって切り換えなくてはならなく、ユーザにとっては煩わしかった。
【０００６】
また、文字サイズを大きくしたいユーザにとってもキーによって切り換えるのはユーザにとっては煩わしいという問題があった。
【課題を解決するための手段】
【０００７】
本発明によれば表示装置を備えた画像記録装置において、表示する言語を切り換えるための情報を備えたIDタグ等の言語情報記録手段と、接触あるいは非接触で通信を行なう通信手段とを備えて、言語情報記録手段の内容によって表示言語を変える。
【０００８】
また、フォント等の文字サイズを切り換えるための情報を備えたIDタグ等の文字サイズ情報記録手段と、接触あるいは非接触で通信を行なう通信手段とを備えて、文字サイズ情報記録手段の内容によって文字サイズを変える。
【０００９】
このように自動的に文字言語、文字サイズを変更することを可能とする。
【発明の効果】
【００１０】
本発明によれば、表示装置を備えた画像記録装置において、表示する言語を切り換えるための情報を備えたIDタグ等の言語情報記録手段と、接触あるいは非接触で通信を行なう通信手段とを備えて、言語情報記録手段の内容によって表示言語を変える。
【００１１】
また、フォント等の文字サイズを切り換えるための情報を備えたIDタグ等の文字サイズ情報記録手段と、接触あるいは非接触で通信を行なう通信手段とを備えて、文字サイズ情報記録手段の内容によって文字サイズを変える。
【００１２】
このように表示言語及び文字サイズをIDによって自動的に切り換えることでユーザにとって煩わしさをなくし、ユーザフレンドリーなプリンターを提供することが可能になる。
【発明を実施するための最良の形態】
【００１３】
以下に、本発明の実施の形態を図面に基づいて説明する。
【実施例１】
【００１４】
以下、本実施例を図面に基づき説明する。
【００１５】
図1は電子写真プロセスを用いた画像記録装置の概略構成図であり、例えばレーザビームプリンタの場合を示している。
【００１６】
レーザビームプリンタ本体101（以下、本体101）は、記録紙Ｓを収納するカセット102を有し、カセット102の記録紙Ｓの有無を検知するカセット有無センサ103、カセット102の記録紙Ｓのサイズを検知するカセットサイズセンサ104（複数個のマイクロスイッチで構成される）、カセット102から記録紙Ｓを繰り出す給紙ローラ105等が設けられている。そして、給紙ローラ105の下流には記録紙Ｓを同期搬送するレジストローラ対106が設けられている。また、レジストローラ対106の下流にはレーザスキャナ部107からのレーザ光に基づいて記録紙Ｓ上にトナー像を形成するカートリッジ108が設けられている。さらに、カートリッジ108の下流には記録紙Ｓ上に形成されたトナー像を熱定着する定着器109が設けられており、定着器109の下流には排紙部の搬送状態を検知する排紙センサ110、記録紙Ｓを排紙する排紙ローラ111、記録の完了した記録紙Ｓを積載する積載トレイ112が設けられている。
【００１７】
また、前記レーザスキャナ107は、後述する外部装置131から送出される画像信号（画像信号ＶＤＯ）に基づいて変調されたレーザ光を発光するレーザユニット113、このレーザユニット113からのレーザ光を後述する感光ドラム117上に走査するためのポリゴンモータ114、結像レンズ115、折り返しミラー116等により構成されている。
【００１８】
また、メインモータ123は、給紙ローラ105には給紙ローラクラッチ124を介して、レジストローラ対106にはレジストローラ125を介して駆動力を与えており、更に感光ドラム117を含むカートリッジ108の各ユニット、定着器109、排紙ローラ111にも駆動力を与えている。
【００１９】
そして126はエンジンコントローラであり、レーザスキャナ部107、カートリッジ108、定着器109による電子写真プロセスの制御、前記本体101内の記録紙の搬送制御を行っている。
【００２０】
そして、127はビデオコントローラであり、パーソナルコンピュータ等の外部装置131と汎用のインタフェース（セントロニクス、RS232C等）130で接続されており、この汎用インタフェースから送られてくる画像情報をビットデータに展開し、そのビットデータをＶＤＯ信号として、エンジンコントローラ126へ送出している。
【００２１】
そして、前記カートリッジ108内は、公知の電子写真プロセスに必要な、感光ドラム117、1次帯電ローラ119、現像器120、転写帯電ローラ121、クリーナ122、から構成されている。
【００２２】
また、140は操作部でビデオコントローラ127に接続されており、ビデオコントローラ127からの情報によりプリンターの状況、状態を示す。
【００２３】
また、前記画像形成装置101内には非接触ICメモリ201と通信を行うためにアンテナコイル202、通信制御を行うための変復調回路を搭載した通信制御基板203が設けられている。アンテナコイル202に非接触ICメモリ201を近づけることで通信を行なうことができる。
【００２４】
なお、この実施例では非接触タイプのメモリで説明したが、接触タイプを使用してもよい。
【００２５】
図2は本体101の操作部140を示す。操作部140は液晶等による表示部140a、テンキー140b1〜b3等で構成されている。
【００２６】
また、(a)は英語、（b）は日本語といったように言語を変えることができる。
図3は操作部140の詳細を示す図である。
【００２７】
この図において表示部140aは液晶ユニット140c、液晶ユニット140cを駆動するための液晶ドライバIC140d、により構成されており、液晶ドライバIC140dはエンジンコントローラ126内のCPU126aに制限抵抗150b1〜b5を介して接続されておりCPU126aにより所定の制御を行っている。また、テンキー140b1〜140b3は各プルアップ抵抗151b1〜151b3を介してVdcへ、制限抵抗152b1〜152b3を介してCPU126aに接続されており、テンキー140b1〜140b3が押されたかを検知している。
【００２８】
また、CPU126aはビデオコントローラ127と接続されており、127からの信号CLK信号、STS信号、CMD信号、CS信号が制限抵抗126b1〜126b3によって制御を行っている。
【００２９】
このように操作部140の制御はビデオコントローラ127からエンジンコントローラ126内のCPU126aへ所定の通信制御信号で、更にCPU126aから液晶ドライバIC140dへ所定の通信制御信号により、行っている。
【００３０】
図4は非接触ICメモリ201と通信制御部を示したブロック図である。
【００３１】
非接触ICメモリ201はIC201a、電磁誘導を発生させるためのアンテナコイル201bから構成される。アンテナコイル201ｂの電磁誘導によりIC201aは電源を得て、かつ本体からの通信データを送受信する。IC201a内にはデータ受信時、変調されたデータを復調する変復調回路、データ送信時には復調されたデータを変調してアンテナ201bに送る変復調回路が含まれ、本体側とのデータの送受信を行っている。
【００３２】
本体側に設けられた通信制御基板203は通信制御回路部203b、変復調回路部203a、共振用回路部203cが設けられており、変復調回路203aはアンテナコイル202に接続、変復調回路203aは通信制御部203bに接続、通信制御部203bはエンジンコントローラ126に接続されていて、エンジンコントローラとの送受信をこれらを介して行っている。
【００３３】
図５は本実施例を示すフローチャートである。
【００３４】
まず、電源ON（S1）すると、ビデオコントローラ127より本体表示部140aを表示させる初期コマンド信号を送信し（S2）、本体表示部140aの初期画面を言語をデフォルトの英語で表示する(S3)。そして次に非接触ICメモリ201がアンテナコイル201ｂに近づけられ、通信できる状態であるかどうか判断し（S4）、通信できない状態であれば言語は英語のままで表示を行い（S5）、通信できる状態であれば通信を行い（S6）、何の言語を指定しているかを検知し（S7）、定められた言語表示に変換する。（S8）
本実施例は上記の通り、プリンター本体の表示部の表示言語をメモリの指定された言語に自動的に変換するものである。
【実施例２】
【００３５】
本実施例は全体的な構成は実施例１とほとんど同じであるが実施例１では表示言語をメモリの指定された言語に自動的に変更していたのに対し、実施例2では文字サイズを自動的に変更、表示するものである。
【００３６】
図６は本実施例を示すフローチャートである。
【００３７】
まず、電源ON（S11）すると、ビデオコントローラ127より本体表示部140aを表示させる初期コマンド信号を送信し（S12）、本体表示部140aの初期画面を文字サイズをデフォルトの大きさで表示する(S13)。そして次に非接触ICメモリ201がアンテナコイル201ｂに近づけられ、通信できる状態であるかどうか判断し（S14）、通信できない状態であれば文字サイズはデフォルトのままで表示を行い（S15）、通信できる状態であれば通信を行い（S16）、指定文字サイズを検知し（S17）、定められた文字サイズ表示に変換する。（S18）
本実施例は上記の通り、プリンター本体の表示部の文字サイズをメモリの指定された文字サイズに自動的に変換するものである。
【図面の簡単な説明】
【００３８】
【図１】本発明における画像記録装置の概略図。
【図２】本発明における本体101の操作部140を示す図。
【図３】本発明における操作部140の詳細を示す図。
【図４】本発明における非接触ICメモリ201ブロック図。
【図５】本発明実施例１を示すフローチャート。
【図６】本発明実施例2を示すフローチャート。
【符号の説明】
【００３９】
101  本体
140  本体101の操作部
140a  表示部
140ｃ  液晶ユニット
140d  液晶ユニット140cを駆動するための液晶ドライバ
201  非接触ICメモリ
202  アンテナコイル
【図１】
2007081691.tif 000003
【図２】
2007081691.tif 000004
【図３】
2007081691.tif 000005
【図４】
2007081691.tif 000006
【図５】
2007081691.tif 000007
【図６】
2007081691.tif 000008